【手続補正書】
【提出日】平成17年11月14日(2005.11.14)
【手続補正１】
【補正対象書類名】明細書
【補正対象項目名】特許請求の範囲
【補正方法】変更
【補正の内容】
【特許請求の範囲】
【請求項１】  式Ｉ
【化１】
2001525322.tif 000001
〔式中、Ｒ1はＣ1〜Ｃ6アルキルであり；
Ｒ2はＣ1〜Ｃ6アルキルであり；
Ｒ3はＨまたはハロゲンであり；そして
【化２】
2001525322.tif 000002
は
【化３】
2001525322.tif 000003
（ここで、Ｒ4はＨ、ＣＨ3、ＣＨ2ＯＨまたはＣＨ2ＣＮであり；
Ｒ5はＨまたはＣ1〜Ｃ6アルキルであり；
Ｒ6はＨ、Ｃ1〜Ｃ6アルキル、アリール、アルキル部分に１〜２個の炭素原子を含有するアリールアルキル、Ｃ2〜Ｃ6アルケニル、ハロ（Ｃ2〜Ｃ6アルケニル）、Ｃ2〜Ｃ6アルキニル、Ｃ3〜Ｃ7シクロアルキルまたはハロ（Ｃ1〜Ｃ6アルキル）であり；
Ｒ7はＨ、ハロゲン、Ｃ1〜Ｃ6アルキル、Ｃ1〜Ｃ6アルキルチオまたはチオシアノであり；
ｎは０または１であり；そして
ＸはＮＨまたはＯである）から選択される置換複素環である〕の化合物またはその薬学的に許容しうる塩。
【請求項２】  式中、
【化４】
2001525322.tif 000004
が
【化５】
2001525322.tif 000005
（式中、Ｒ4、Ｒ5およびＸは請求項１で定義された通りである）である請求項１記載の化合物またはその薬学的に許容しうる塩。
【請求項３】  式中、
【化６】
2001525322.tif 000006
が
【化７】
2001525322.tif 000007
（式中、ｎ、Ｒ4、Ｒ6およびＸは請求項１で定義された通りである）である請求項１記載の化合物またはその薬学的に許容しうる塩。
【請求項４】  式中、
【化８】
2001525322.tif 000008
が
【化９】
2001525322.tif 000009
（式中、Ｒ4、Ｒ5、Ｒ6およびＸは請求項１で定義された通りである）である請求項１記載の化合物またはその薬学的に許容しうる塩。
【請求項５】  式中、
【化１０】
2001525322.tif 000010
が
【化１１】
2001525322.tif 000011
（式中、Ｒ4、Ｒ5、Ｒ7およびＸは請求項１で定義された通りである）である請求項１記載の化合物またはその薬学的に許容しうる塩。
【請求項６】  式中、
【化１２】
2001525322.tif 000012
が
【化１３】
2001525322.tif 000013
（式中、Ｒ4、Ｒ5およびＸは請求項１で定義された通りである）である請求項１記載の化合物またはその薬学的に許容しうる塩。
【請求項７】  式中、
【化１４】
2001525322.tif 000014
が
【化１５】
2001525322.tif 000015
（式中、Ｒ4およびＸは請求項１で定義された通りである）である請求項１記載の化合物またはその薬学的に許容しうる塩。
【請求項８】  Ｒ1およびＲ2は独立してＣＨ3またはＣＨ2ＣＨ3である請求項１記載の化合物またはその薬学的に許容しうる塩。
【請求項９】  式
【化１６】
2001525322.tif 000016
の２,３−ジメチル−８−（２,６−ジメチルベンジルアミノ）イミダゾ［１,２−ａ］ピラジンである請求項２記載の化合物またはその薬学的に許容しうる塩。
【請求項１０】  式
【化１７】
2001525322.tif 000017
の２,３−ジメチル−８−（２,６−ジメチルベンジルオキシ）イミダゾ［１,２−ａ］ピラジンである請求項２記載の化合物またはその薬学的に許容しうる塩。
【請求項１１】  一般式II
【化１８】
2001525322.tif 000018
（式中、Ｘ1はＯＨまたはＮＨ2である）の化合物を一般式III
【化１９】
2001525322.tif 000019
（式中、Ｒ1、Ｒ2およびＲ3は式Ｉで定義された通りであり、そしてＹ1は脱離基である）の化合物と反応させることからなる請求項１〜１０の何れか一項記載の化合物の製造法。
【請求項１２】  一般式IV
【化２０】
2001525322.tif 000020
（式中、Ｘ2は脱離基である）の化合物を一般式Ｖ
【化２１】
2001525322.tif 000021
（式中、Ｒ1、Ｒ2およびＲ3は式Ｉで定義された通りであり、そしてＹ2はＮＨ2またはＯＨである）の化合物と反応させることからなる請求項１〜１０の何れか一項記載の化合物
の製造法。
【手続補正２】
【補正対象書類名】明細書
【補正対象項目名】０００５
【補正方法】変更
【補正の内容】
【０００５】
一態様において、本発明は一般式Ｉ
【化２２】
2001525322.tif 000022
〔式中、Ｒ1はＣ1〜Ｃ6アルキルであり；
Ｒ2はＣ1〜Ｃ6アルキルであり；
Ｒ3はＨまたはハロゲンであり；そして
【化２３】
2001525322.tif 000023
は
【化２４】
2001525322.tif 000024
（ここで、Ｒ4はＨ、ＣＨ3、ＣＨ2ＯＨまたはＣＨ2ＣＮであり；
Ｒ5はＨまたはＣ1〜Ｃ6アルキルであり；
Ｒ6はＨ、Ｃ1〜Ｃ6アルキル、アリール、アルキル部分に１〜２個の炭素原子を含有するアリールアルキル、Ｃ2〜Ｃ6アルケニル、ハロ（Ｃ2〜Ｃ6アルケニル）、Ｃ2〜Ｃ6アルキニル、Ｃ3〜Ｃ7シクロアルキルまたはハロ（Ｃ1〜Ｃ6アルキル）であり；
Ｒ7はＨ、ハロゲン、Ｃ1〜Ｃ6アルキル、Ｃ1〜Ｃ6アルキルチオまたはチオシアノであり；
ｎは０または１であり；そして
ＸはＮＨまたはＯである）から選択される置換複素環である〕の化合物に関する。
【手続補正３】
【補正対象書類名】明細書
【補正対象項目名】０００７
【補正方法】変更
【補正の内容】
【０００７】
他の好ましい本発明の化合物は
【化２５】
2001525322.tif 000025
(式中、Ｒ4はＣＨ3またはＣＨ2ＯＨであり、そしてＸ、ｎ、Ｒ1、Ｒ2、Ｒ3、Ｒ5、Ｒ6およびＲ7は式Ｉで定義された通りである）である。特に好ましい化合物はＲ1、Ｒ2およびＲ3が上記で定義された好ましい置換基である化合物である。
【手続補正４】
【補正対象書類名】明細書
【補正対象項目名】００１３
【補正方法】変更
【補正の内容】
【００１３】
製  造
本発明はまた、一般式Ｉの化合物を製造するための次の方法ＡおよびＢを提供する。
方法Ａ
一般式Ｉの化合物を製造するための方法Ａは次の工程からなる：
一般式II
【化２６】
2001525322.tif 000026
（式中、Ｘ1はＯＨまたはＮＨ2である）の化合物を一般式III
【化２７】
2001525322.tif 000027
（式中、Ｒ1、Ｒ2およびＲ3は式Ｉで定義された通りであり、そしてＹ1は脱離基、例えばハロゲン化物、トシルオキシまたはメシルオキシである）の化合物と反応させて式Ｉの化合物とすることができる。
【手続補正５】
【補正対象書類名】明細書
【補正対象項目名】００１５
【補正方法】変更
【補正の内容】
【００１５】
方法Ｂ
一般式Ｉの化合物を製造するための方法Ｂは次の工程からなる：
一般式IV
【化２８】
2001525322.tif 000028
（式中、Ｘ2は脱離基、例えばハロゲン化物である）の化合物を一般式Ｖ
【化２９】
2001525322.tif 000029
（式中、Ｒ1、Ｒ2およびＲ3は式Ｉで定義された通りであり、そしてＹ2はＮＨ2またはＯＨである）の化合物と反応させて一般式Ｉの化合物とすることができる。